(57)【要約】【課題】  液晶プロジェクタのユーザインターフェースの改良により、良質な投影画像の提供を目的とする。【解決手段】  スクリーン面とプロジェクタの投影光軸との傾斜角度を定量的に検知できる光学装置において、傾斜角度表示手段を有し、キーストン歪を補正する際等、必要に応じて、前記傾斜角度をユーザに提示することを特徴とする光学装置。【選択図】  図１
2005292675.tif 000002
【特許請求の範囲】
【請求項１】
投影画像が書き込まれる空間変調素子と、該投影画像をと投射する投射レンズと、光源と、キーストン補正スイッチを有する光学装置において、所定の傾斜角度を表示することを特徴とする光学装置。
【請求項２】
所定の傾斜相対角度は前記空間変調素子に書き込まれることを特徴とする請求項１記載の光学装置。
【請求項３】
前記空間変調素子は液晶であることを特徴とする請求項１記載の光学装置。
【請求項４】
前記空間変調素子はＤＭＤであることを特徴とする請求項１記載の光学装置。
【請求項５】
前記傾斜角度は、キーストン歪が生じないスクリーンと光学装置の幾何学的配置を０°、または／かつ基準とすることを特徴とする請求項１記載の光学装置。
【請求項６】
前記傾斜角度は、スクリーンの鉛直方向に対する傾斜角度であることを特徴とする請求項１記載の光学装置。
【請求項７】
前記傾斜角度は、装置本体の水平方向に対する傾斜角度であることを特徴とする請求項１記載の光学装置。
【請求項８】
前記傾斜角度は、前記光学装置に搭載された表示部に表示されることを特徴とする請求項１記載の光学装置。
【請求項９】
前記光学装置は、液晶プロジェクタであることを特徴とする請求項１記載の光学装置。
【発明の詳細な説明】
【技術分野】
【０００１】
本発明は、液晶プロジェクタ、ＣＲＴプロジェクタ、ＯＨＰなどの画像投影装置に関し、投射映像に生じる台形歪みを補正する台形歪み補正装置に係り、特に、ユーザに投影スクリーンと投影装置の傾き角度を提示し、最適に台形歪みを補正することのできる光学装置に関する。
【背景技術】
【０００２】
近年、オフィスのプレゼンテーションツールとして液晶プロジェクタを使用する機会が増えている。これはＰＣでのプレゼンテーション資料の作成がオフィスではあたりまえになってきていること、またインターネット、イントラネットの普及により電子ファイルをプレゼンしたいというニーズが多いこと、さらに液晶プロジェクタの小型／軽量化が各社進み、比較的簡単に会議室を移動してプレゼンできる環境が整ってきていることなどによっている。また、ビデオやＤＶＤなどのメディアをその場で大画面で鑑賞することが出来ることも大きな理由のひとつである。
【特許文献１】特開平５―１４８４４号公報
【発明の開示】
【発明が解決しようとする課題】
【０００３】
しかしながら、プロジェクタを設置するときにスクリーンとプロジェクタ投影光軸が相対的に傾いていると画面が歪んで見づらいものとなる。このため本発明においてはこの相対的な傾きをユーザに知らせることで設置が簡単になり、品位の高い映像の鑑賞を可能とするシステムを提供することを目的とする。
【課題を解決するための手段】
【０００４】
本発明の光学装置は、投射レンズと、投影画像が書き込まれる空間変調素子と、光源と、キーストン補正スイッチを有し、所定の傾斜角度を表示することを特徴とする。
【０００５】
このような構成とすることで、ユーザがキーストン歪補正を行う際に、スクリーンと液晶プロジェクタ本体の相対角度をスクリーンに表示し、画面をみながら、定量的にユーザがキーストン補正を行わせることができる。
【０００６】
また、ユーザに傾斜角度を定量的に認知させることができる。
【発明の効果】
【０００７】
以上説明したように、本発明によれば、所定の傾斜角度をユーザに提示することで、ユーザが現状の傾斜角度を定量的に認知でき、従来どのくらい傾いているのか不明であったのが、明確になったこと、また、本体が検出した所定の傾斜角度を表示することで、キーストン歪を表示されたグラフィックを見ながら定量的な補正、および設置時に品位の高い画像の表示調整が可能となり、液晶プロジェクタ設置のわずらわしさを解消し、快適なユーザインターフェースを提供することを可能とした。
【発明を実施するための最良の形態】
【０００８】
（実施例）
本実施例を図１、図２、図３をもとに説明する。
【０００９】
図１は本発明の実施例の液晶プロジェクタ１２の構成を説明する図である。液晶プロジェクタ１２は、フロント投射型のプロジェクタである。据え置き型と、持ち運び可能なのポーダブルタイプがあるがどちらでもよい。通常、プロジェクタをスクリーン８へ投射する際に、必ずしもスクリーンとプロジェクタ本体の位置関係が適正な位置にあるとは限らない。したがって、相対的な位置関係を調整する必要が生じてくる。このためユーザは、所定の手段で、所定の調整を行う。たとえば、フォーカス、ズーム、キーストン歪などの補正が行われる。
【００１０】
１は投射レンズで、ランプ３から透過型液晶３を透過した光を導いて、液晶に書き込まれた映像をスクリーン８へ投射する。本実施例においては、ＴＮ型、ＳＴＮ型、ＦＬＣなどの透過型の液晶で説明するが、本発明は、特にこれに限定するものでなく、反射型の液晶、またはいわゆるＤＭＤと呼ばれる空間変調素子を使用したプロジェクタ、さらにはＣＲＴによるプロジェクタでもよい。
【００１１】
１１はキーストン補正スイッチで、ユーザがこのスイッチが押したときにマニュアルでキーストン補正動作が行われる。キーストン補正の方法は特に限定しないが、公知の手段を使用する。たとえば、電子的に画像の間引き、および補間などで、画面の幾何学歪を補正するか、または、メカ的に投射レンズをシフトすることで補正してもよい。この、キーストン歪補正を簡単に説明する。図２に表すように、スクリーン８とプロジェクタ１２の位置関係が適正でないと、スクリーン８へ投射した画面が幾何学的に歪んでしまう（図２の左の図）。図２の左の図は画面が台形状に歪んでおり、スクリーン８がプロジェクタ１２本体に対して相対的に上下方向に傾いているのが原因である。これを、図２の右の図のように４：３または、１６：９等の所定のフォーマットの長方形に画面を補正するのが、キーストン歪み補正である。
【００１２】
６は傾斜角度検出手段であり、本実施例において特に限定するものでないが、公知の少なくとも１つの傾斜角センサや、光学式、レーダレーザ、または超音波式などの非接触の測距センサを使用して、スクリーン８とプロジェクタ１２本体の相対的な傾斜角度を検出するものとする。本実施例では、
１次元の角度（上下方向）を検出するものとするが、２次元の角度でも本発明を同様に拡張することができるのは言うまでもない。
【００１３】
ここで傾斜角度θはスクリーン８と、液晶プロジェクタ１２の相対的な角度をさし、９０度のときが幾何学的なキーストン歪が発生しない角度とする。したがって、Δθ＝（θ−９０）≠０のときにキーストン歪が生じる。本実施例においては、キーストンひずみの発生しない角度を９０度としたが、これはプロジェクタの固有の角度であり、基準の角度は９０度に限定するものでない。
【００１４】
本実施例においては、図２に示すように、Δθの値をグラフィック表示して、ユーザに提示するものとする。したがって、ユーザはどのくらいプロジェクタが傾いているか定量的に把握することができ、どちらの方向にどのくらい補正すればよいかを簡単に認知することができる。この結果、上記説明したキーストン歪み補正のときにも補正動作が容易になる。
【００１５】
次に本発明の１連のキーストン歪み補正動作時について図３をもとに説明する。
【００１６】
ステップ１において、キーストン補正スイッチが押されているか、否かをチェックする。もし、押されていればステップ２へ進み、そうでなければもとへもどる。
【００１７】
ステップ２において、傾斜角度センサ６からの角度θの出力信号を読み出す。
【００１８】
ステップ３において、Δθ＝（θ−９０）を算出する。
【００１９】
ステップ４において、Δθに対応したグラフィック（図２にしめした）を制御回路５内のメモリから読み出す。グラフィックの内容については、傾斜角度θが数値で表示されればよく、グラフィックを特に限定するものでない。また、傾斜角度θについても、本実施例においては基準相対位置（キーストン歪みが発生しない位置関係）に対するずれをθとしたが、スクリーンの鉛直方向に対する傾斜角度、液晶プロジェクタ本体の水平に対する傾斜角度としてもよい。
【００２０】
ステップ５において、ステップ４にて読み出したグラフィックを表示する。
【００２１】
ステップ６にて、ステップ３にて算出した結果に基づいてキーストン補正をおこなう。
【００２２】
以上説明した一連の動作により、キーストン補正を行う際に、グラフィック表示を見ながらユーザはキーストン補正を行うことができる。
【００２３】
また、本実施例においては、キーストン補正動作の時に、傾斜角度θをグラフィック表示するシーケンスの説明を行ったが、傾斜角度表示を独立に行ってもよい。たとえば、傾斜角度表示ボタンを設けて、これが押されたときに、所定の傾斜角度を表示することも本発明から容易に実施できる実施例であることは言うまでもない。
【００２４】
また、本実施例においては傾斜角度θを液晶等の空間変調素子に書き込んでスクリーン上に表示をしたが、液晶プロジェクタに所定の表示部がある場合、まては設けることで、この所定の表示部に所定の傾斜角度を表示してもよい。
【図面の簡単な説明】
【００２５】
【図１】本発明の構成図
【図２】本発明の傾斜角度表示を説明する図
【図３】本発明のキーストン補正時の動作フローチャート
【符号の説明】
【００２６】
１  投射レンズ
２  液晶
３  ランプ
８  スクリーン
１１  キーストン補正スイッチ
【図１】
2005292675.tif 000003
【図２】
2005292675.tif 000004
【図３】
2005292675.tif 000005